【手続補正書】
【提出日】平成28年2月23日(2016.2.23)
【手続補正１】
【補正対象書類名】特許請求の範囲
【補正対象項目名】全文
【補正方法】変更
【補正の内容】
【特許請求の範囲】
【請求項１】
ローカルエリアネットワークに接続されたローカルエリアネットワークサーバにコンテンツを保存する方法であって、該ローカルエリアネットワークサーバはネットワークインタフェースと計算器モジュールと保存ユニットとを備え、該ローカルエリアネットワークサーバは前記ローカルエリアネットワークに接続された少なくとも１つの再生装置によっておよび前記ローカルエリアネットワークサーバと該再生装置との間の相互運用性プロトコルの使用によってオーディオビジュアルコンテンツの同期再生を行うように適合されており、前記方法は、
−送信されたコンテンツを配信チャネルから前記ネットワークインタフェースによって受信するステップであって、該送信されたコンテンツはタイムスタンプを含み、前記タイムスタンプは該送信されたコンテンツの開始から経過した時間を示す、前記受信するステップと、
−前記再生装置による再生のための再生に関する時間情報を、前記タイムスタンプのうちの少なくとも１つと前記ローカルエリアネットワークのウォールクロックとから計算するステップと、
−前記送信されたコンテンツの少なくとも一部を前記ローカルエリアネットワークサーバに保存するステップと、
−前記再生に関する時間情報を前記ローカルエリアネットワークサーバに保存するステップと、
を含む、前記方法。
【請求項２】
再生のステップを含み、再生開始時刻が前記再生に関する時間情報によって決まる、請求項１に記載の方法。
【請求項３】
前記再生のステップは、前記再生に関する時間情報により指定された時刻よりも前に開始することはできず、前記送信されたコンテンツは前記指定された時刻よりも前には利用できない、請求項２に記載の方法。
【請求項４】
前記再生のステップは、前記再生に関する時間情報により指定された時刻に開始する、請求項２および３のいずれか１項に記載の方法。
【請求項５】
前記再生のステップは、前記再生に関する時間情報により指定された時刻に、ファイルを少なくとも１つの宛先に送信するステップを含む、請求項２〜４のいずれか１項に記載の方法。
【請求項６】
前記再生のステップは、前記送信されたコンテンツの少なくとも一部を送信するための要求を受信した後、ファイルを少なくとも１つの宛先に送信するステップを含む、請求項２〜４のいずれか１項に記載の方法。
【請求項７】
前記再生に関する時間情報を計算するステップは再生開始時刻を計算することを含み、該再生開始時刻が前記送信されたコンテンツを保存するために利用可能な領域の量に依存する、請求項１〜６のいずれか１項に記載の方法。
【請求項８】
前記配信チャネルは、双方向広帯域チャネルである、請求項１〜７のいずれか１項に記載の方法。
【請求項９】
前記ローカルエリアネットワークサーバは、ユニバーサルプラグアンドプレイＡＶ相互運用性規格と互換性があるローカルメディアサーバである、請求項１〜８のいずれか１項に記載の方法。
【請求項１０】
前記再生に関する時間情報は、予定開始時刻パラメータを示すコンテンツ記述サービスの情報フィールドに書き込まれる、請求項９に記載の方法。
【請求項１１】
コンテンツ記述サービスにおいて、前記再生に関する時間情報には、前記ローカルメディアサーバに接続された機器によってアクセスすることができる、請求項９に記載の方法。
【請求項１２】
コンテンツをファイルに保存するための装置であって、
−タイムスタンプを含む送信されたコンテンツを受信するためのネットワークインタフェースであって、該タイムスタンプは該送信されたコンテンツの開始から経過した時間を示す、前記ネットワークインタフェースと、
−再生開始可能時刻を含む再生に関する時間情報を前記タイムスタンプのうちの少なくとも１つとウォールクロックとから計算するための計算器モジュールであって、該ウォールクロックはローカルエリアネットワークの時刻基準である、前記計算器モジュールと、
−前記送信されたコンテンツおよび前記再生に関する時間情報を保存するように適合された保存のための保存ユニットと、
を備える、前記装置。
【請求項１３】
前記再生に関する時間情報を、予定開始時刻パラメータを示すコンテンツ記述サービスの情報フィールドに書き込むためのモジュールを備える、請求項１２に記載の装置。
【請求項１４】
前記再生に関する時間情報により指定された時刻に前記送信されたコンテンツを送信するためのインタフェースを備える、請求項１２または１３に記載の装置。
【手続補正２】
【補正対象書類名】明細書
【補正対象項目名】００１２
【補正方法】変更
【補正の内容】
【００１２】
−ローカルエリアネットワークに接続された再生装置による同期再生のために、少なくとも１つの再生に関する時間情報を、タイムスタンプのうちの少なくとも１つ、およびローカルエリアネットワークのウォールクロックから計算するステップ。
【手続補正３】
【補正対象書類名】明細書
【補正対象項目名】００１４
【補正方法】変更
【補正の内容】
【００１４】
−少なくとも１つの再生に関する時間情報をローカルエリアネットワークのサーバに保存するステップであって、それにより、放送チャネルから受信した放送されるコンテンツの再生を、別のコンテンツの再生と同期させることが可能となり、その両方の再生が、ローカルエリアネットワークに接続された機器によって達成されるステップ。
【手続補正４】
【補正対象書類名】明細書
【補正対象項目名】００１５
【補正方法】変更
【補正の内容】
【００１５】
本発明の一実施形態によると、本方法は、開始時刻が再生に関する時間情報によって決まる再生ステップを含む。
【手続補正５】
【補正対象書類名】明細書
【補正対象項目名】００１６
【補正方法】変更
【補正の内容】
【００１６】
本発明の一実施形態によると、再生ステップは、再生に関する時間情報により指定された時刻より前に開始することはできず、コンテンツは指定時刻より前には利用できない。
【手続補正６】
【補正対象書類名】明細書
【補正対象項目名】００１７
【補正方法】変更
【補正の内容】
【００１７】
本発明の一実施形態によると、再生ステップは、再生に関する時間情報により指定された時刻に開始する。
【手続補正７】
【補正対象書類名】明細書
【補正対象項目名】００１８
【補正方法】変更
【補正の内容】
【００１８】
本発明の一実施形態によると、再生ステップは、再生に関する時間情報により指定された時刻に、ファイルを少なくとも１つの宛先に送信するステップを含む。
【手続補正８】
【補正対象書類名】明細書
【補正対象項目名】００２０
【補正方法】変更
【補正の内容】
【００２０】
本発明の一実施形態によると、再生に関する時間情報を計算するステップは、コンテンツを保存するために利用可能な領域の量に依存する。
【手続補正９】
【補正対象書類名】明細書
【補正対象項目名】００２５
【補正方法】変更
【補正の内容】
【００２５】
本発明の一実施形態によると、再生に関する時間情報は、予定開始時刻パラメータを示すコンテンツ記述サービスの情報フィールド（ＳｃｈｅｄｕｌｅｄＳｔａｒｔＴｉｍｅ）に書き込まれる。
【手続補正１０】
【補正対象書類名】明細書
【補正対象項目名】００２６
【補正方法】変更
【補正の内容】
【００２６】
本発明の一実施形態によると、コンテンツ記述サービスにおける再生に関する時間情報には、サーバに接続された機器によってアクセスすることができる。
【手続補正１１】
【補正対象書類名】明細書
【補正対象項目名】００２７
【補正方法】変更
【補正の内容】
【００２７】
本発明はまた、コンテンツをファイルに保存するための装置に関する。本装置は、コンテンツの開始から経過した時間を示すタイムスタンプを含む送信されたコンテンツを受信するための入力インタフェースと、少なくとも１つのタイムスタンプ、およびローカルエリアネットワークの時刻基準であるウォールクロックから、少なくとも再生に関する時間情報を計算するためのモジュールと、送信されたコンテンツをファイルに保存し、再生に関する時間情報を保存することができる保存用モジュールとを備える。
【手続補正１２】
【補正対象書類名】明細書
【補正対象項目名】００２８
【補正方法】変更
【補正の内容】
【００２８】
本発明の一実施形態によると、本装置は、再生に関する時間情報に基づきファイルを再生することができる再生モジュールを備える。そして、ファイルの再生を別のコンテンツ（または同一コンテンツの別のビュー）の再生と同期させることができる。有利なことに、本装置は、少なくとも１つの再生に関する時間情報を、予定開始時刻パラメータを示すコンテンツ記述サービスの情報フィールドに保存するためのモジュールを備える。
【手続補正１３】
【補正対象書類名】明細書
【補正対象項目名】００２９
【補正方法】変更
【補正の内容】
【００２９】
本発明の一実施形態によると、本装置は、再生に関する時間情報に基づく時刻にコンテンツを送信するためのインタフェースを備える。
【手続補正１４】
【補正対象書類名】明細書
【補正対象項目名】００５４
【補正方法】変更
【補正の内容】
【００５４】
本発明の実施形態によると、計算器１３２は、ローカルエリアネットワーク２の基準時刻、および、マルチキャストストリームで受信した、オーディオビジュアルコンテンツの開始に対する現在の位置を示すタイムスタンプに基づき、ＵＰｎＰ  ＡＶ：４に従い、再生に関する時間情報を計算する。この再生に関する時間情報は、時、分、秒、および１０分の１秒で表される、再生のために利用可能な時刻である。
【手続補正１５】
【補正対象書類名】明細書
【補正対象項目名】００５６
【補正方法】変更
【補正の内容】
【００５６】
図４は、マルチキャストストリーミングコンテンツを受信し、そのコンテンツの同期再生のためにファイルをダウンロードする状態を時間的に示す。マルチキャストストリームは、ストリーミングサーバ７から送信される音楽コンサートのメインビューに相当する。ビューの対応するオーディオおよびビデオを符号化した隣接データに関連する最初のタイムスタンプＴＯｃを受信し読み取ると、コンサートが、１１分３秒前に開始したことを示している。ローカルネットワーク２の基準時刻（「ウォールクロック」と称される）が、計算器１３２に利用可能である。基準時刻は、例えば、ＮＴＰプロトコルを使用して計算器に送信される。ストリームで検出された最初のタイムスタンプを読み取った時、家庭内ローカルエリアネットワークの基準時刻（ウォールクロック）は、ＴｏＤ＝９時０４分３秒である。マルチキャストストリームを受信したローカルサーバ１３の計算器１３２が、家庭内ローカルエリアネットワーク２のＴｏＤ基準時刻に対して、コンテンツの開始時刻（再生という観点で）を計算する。
【手続補正１６】
【補正対象書類名】明細書
【補正対象項目名】００５７
【補正方法】変更
【補正の内容】
【００５７】
言い換えると、ＴｏＤ０＝ＴｏＤ−ＴＯｃ
これは、例えば、
ＴｏＤ０＝０９時０４分０３秒−１１分０３秒
ＴｏＤ０＝０８時５３分
に相当し、
この場合、ＴｏＤ０は、ローカルエリアネットワーク２の基準クロックＴｏＤに対して、ストリーミングコンテンツの開始として受信された時刻である。
【手続補正１７】
【補正対象書類名】明細書
【補正対象項目名】００６３
【補正方法】変更
【補正の内容】
【００６３】
従って、本方法は、少なくとも１つのタイムスタンプ（例えば、ＴＯｃ）、およびローカルエリアネットワーク２の時刻基準である家庭内ローカルエリアネットワーク２の基準クロックから、再生に関する時間情報（例えば、ＴｏＤＲｃ）を計算する。
【手続補正１８】
【補正対象書類名】明細書
【補正対象項目名】００６４
【補正方法】変更
【補正の内容】
【００６４】
再生に関する時間情報は、ＴｏＤＲｃまたはそれより後の時間に相当する値であることができ、予定開始時刻を示すコンテンツ記述サービス（ＣＤＳ）の情報フィールド（ＳｃｈｅｄｕｌｅｄＳｔａｒｔＴｉｍｅ）に保存される。
【手続補正１９】
【補正対象書類名】明細書
【補正対象項目名】００７１
【補正方法】変更
【補正の内容】
【００７１】
ステップＳ２において、家庭内ローカルエリアネットワーク２上のパーソナルコンピュータのユーザが、マルチキャストストリームを、ネットワークゲートウェイ１におけるローカルサーバ（ＵＰｎＰ  Ｍｅｄｉａ  Ｓｅｒｖｅｒ）に保存するよう命令する。マルチキャストストリームに対する契約要求を送るコマンドが、ＩＧＭＰのようなルーティングプロトコルを使用して、パーソナルコンピュータ５からネットワークゲートウェイ１に送信される。
【手続補正２０】
【補正対象書類名】明細書
【補正対象項目名】００７９
【補正方法】変更
【補正の内容】
【００７９】
ＵＰｎＰ  Ｃｏｎｔｒｏｌ  Ｐｏｉｎｔは、メディアサーバ上のＣＤＳのＳｃｈｅｄｕｌｅＳｔａｒｔＴｉｍｅフィールド内の再生に関する時間情報を、再生開始時刻の形式で読み取ることができる。Ｃｏｎｔｒｏｌ  Ｐｏｉｎｔが、同期再生コメントをＵＰｎＰ  Ｍｅｄｉａ  Ｒｅｎｄｅｒｅｒの再生装置に送信する場合、本方法は、開始時刻が再生に関する時間情報によって決まる同期再生ステップを含む。
【手続補正２１】
【補正対象書類名】明細書
【補正対象項目名】００８８
【補正方法】変更
【補正の内容】
【００８８】
実施形態の変形例によると、コンテンツは、複数の再生装置によって、再生に関する時間情報（例えば、ＵＰｎＰ規格に定義されている情報フィールドＳｃｈｅｄｕｌｅＳｔａｒｔＴｉｍｅ）から同期再生される。
【手続補正２２】
【補正対象書類名】明細書
【補正対象項目名】０１０２
【補正方法】変更
【補正の内容】
【０１０２】
より一般的には、本発明は、その変形例による、上述の方法を実装する任意の装置またはシステムに適用できる。
［付記１］
ローカルエリアネットワークに接続されたサーバにコンテンツを保存する方法であって、
前記サーバは、前記ローカルエリアネットワークに接続された１つまたは複数の再生装置による、及び前記サーバと前記再生装置との間の相互運用性プロトコルの使用による、オーディオビジュアルコンテンツの同期再生に適合され、
送信されたコンテンツを、前記ローカルエリアネットワークに接続された１つの機器によって、配信チャネルから受信するステップ（Ｓ２、Ｓ３）であって、前記送信されたコンテンツはタイムスタンプを含み、前記タイムスタンプは、前記コンテンツの開始から経過した時間を示すステップと、
前記ローカルエリアネットワークに接続された再生装置による再生のための少なくとも１つの再生に関する時間情報を、前記タイムスタンプのうちの少なくとも１つ、および前記ローカルエリアネットワークのウォールクロックから計算するステップ（Ｓ４）と、
前記コンテンツの少なくとも一部を、前記ローカルエリアネットワークの前記サーバに保存するステップ（Ｓ５）と、
前記少なくとも１つの再生に関する時間情報を前記ローカルエリアネットワークのサーバに保存するステップ（Ｓ６）と、
を含む、前記方法。
［付記２］
開始時刻が前記少なくとも１つの再生に関する時間情報によって決まる、再生するステップを含む、付記１に記載の方法。
［付記３］
前記再生するステップは、前記少なくとも１つの再生に関する時間情報により指定された時刻より前に開始することはできず、前記コンテンツは前記指定された時刻より前には利用できない、付記２に記載の方法。
［付記４］
前記再生するステップは、前記少なくとも１つの再生に関する時間情報により規定された時刻に開始する、付記２乃至３のいずれか１項に記載の方法。
［付記５］
前記再生するステップは、前記少なくとも１つの再生に関する時間情報により規定された時刻に、前記ファイルを少なくとも１つの宛先に送信するステップを含む、付記２乃至４のいずれか１項に記載の方法。
［付記６］
前記再生するステップは、前記コンテンツの少なくとも一部を送信するための要求を受信した後、前記ファイルを少なくとも１つの宛先に送信するステップを含む、付記２乃至５のいずれか１項に記載の方法。
［付記７］
前記少なくとも１つの再生に関する時間情報を計算するステップは、前記コンテンツを保存するために利用可能な領域の量に依存する、付記１乃至６のいずれか１項に記載の方法。
［付記８］
前記コンテンツの少なくとも一部をファイルに保存するステップは、循環バッファ方法に従うバッファファイルを使用する、付記１乃至７のいずれか１項に記載の方法。
［付記９］
前記サーバのファイルは、前記コンテンツ受信後、前記コンテンツの全てを含む、付記１乃至８のいずれか１項に記載の方法。
［付記１０］
前記放送チャネルは、双方向広帯域チャネルである、付記１乃至９のいずれか１項に記載の方法。
［付記１１］
前記サーバは、ユニバーサルプラグアンドプレイＡＶ相互運用性規格と互換性があるローカルメディアサーバである、付記１乃至１０のいずれか１項に記載の方法。
［付記１２］
前記少なくとも１つの再生に関する時間情報は、予定開始時刻パラメータを示すコンテンツ記述サービスの情報フィールドに書き込まれる、付記１乃至１１のいずれか１項に記載の方法。
［付記１３］
コンテンツ記述サービスにおいて、前記少なくとも１つの再生に関する時間情報には、前記サーバに接続された機器によってアクセスすることができる、付記１乃至１２のいずれか１項に記載の方法。
［付記１４］
コンテンツをファイルに保存するための装置であって、
タイムスタンプを含む送信されたコンテンツを受信するための入力インタフェース（１３１）であって、前記タイムスタンプが前記コンテンツの開始から経過した時間を示す入力インタフェースと、
少なくとも１つの再生に関する時間情報を、前記タイムスタンプのうちの少なくとも１つ、およびウォールクロックから計算するためのモジュール（１３２）であって、前記ウォールクロックがローカルエリアネットワークの時刻基準であるモジュールと、
前記送信されたコンテンツを保存し、前記少なくとも１つの再生に関する時間情報を保存することができる保存用モジュール（１３３）と、
を備える、前記装置。
［付記１５］
前記少なくとも１つの再生に関する時間情報を、予定開始時刻パラメータを示すコンテンツ記述サービスの情報フィールドに書き込むためのモジュール（１３４）を備える、付記１４に記載の装置。
［付記１６］
前記少なくとも１つの再生に関する時間情報に基づく時刻に前記コンテンツを送信するためのインタフェースを備える、付記１４乃至１５のいずれか１項に記載の装置。
【手続補正２３】
【補正対象書類名】図面
【補正対象項目名】図４
【補正方法】変更
【補正の内容】
【図４】
2015501018.tif 000001